(57)【要約】      （修正有）【課題】高度の安定性および比較的小さな厚さを具備する、二重レイヤーウォールシステムを提供すること【解決手段】二重レイヤーウォールシステムであって、少なくとも１つの第１固定面（２１）および少なくとも１つの第２固定面（２２）を有する、少なくとも１つの外形要素であって、オフセット（３９）が、第１（２１）および第２固定面（２２）の間に提供される、該少なくとも１つの外形要素、第１固定面（２１）に固定される少なくとも１つの第１ウォールセクション（３１）、特に第１プラスターボード、第２固定面に固定される少なくとも１つの第２ウォールセクション（３２）、特に第２プラスターボードを含み、第１（３１）および第２（３２）ウォールセクションが、互いに重なり合って配置される、前記二重レイヤーウォールシステム。【選択図】図３
2020097886.tif 000002
【特許請求の範囲】
【請求項１】
二重レイヤーウォールシステムであって、少なくとも１つの第１固定面（２１）および少なくとも１つの第２固定面（２２）を有する、少なくとも１つの外形要素であって、オフセット（３９）が、第１（２１）および第２（２２）固定面の間に提供される、該少なくとも１つの外形要素、第１固定面（２１）に固定される、少なくとも１つの第１ウォールセクション（３１）、特に第１プラスターボード、該第２固定面（２２）に固定される、少なくとも１つの第２ウォールセクション（３２）、特に第２プラスターボード、を含み、第１（３１）および第２（３２）ウォールセクションが、互いに重なり合って配置される、前記二重レイヤーウォールシステム。
【請求項２】
外形要素が、少なくとも第３固定面（２３）を含み、第３固定面（２３）が好ましくは、第２固定面（２２）に平行に、特に同一平面を成すように配置され、好ましくは、第３ウォールセクション（３３）、特に第３プラスターボードが、該第３固定面（２３）に固定される、および／または、好ましくは、第２（３２）および第３（３３）ウォールセクションが平行に、好ましくは、第２ウォールセクション（３２）、第３ウォールセクション（３３）および第１固定面（２１）が連続した（平坦な）面を形成するように、特に同一平面に配置されることを特徴とする、請求項１に記載のシステム。
【請求項３】
外形要素が、  少なくとも第４のウォールセクション（３４）を固定するための少なくとも１つの第４固定面（２４）、および／または、少なくとも１つの第５ウォールセクション（３５）を固定するための少なくとも１つの第５固定面（２５）、および／または、少なくとも１つの第６ウォールセクション（３６）を固定するための少なくとも１つの第６固定面（２６）を含み、好ましくは、オフセットが、第４固定面（２４）と、第５（２５）および／または第６（２６）固定面との間に提供される、および／または、好ましくは、第４ウォールセクション（３４）と、第５（３５）および／または第６（３６）ウォールセクションとが、互いに重なり合って配置される、および／または、好ましくは、空洞が、一方で第２（３２）および／または第３（３３）ウォールセクションと、他方で第４（３４）および／または第５（３５）および／または第６（３６）ウォールセクションとの間に形成されることを特徴とする、請求項１または２に記載のシステム。
【請求項４】
第２（３２）および／または第３（３３）および／または第５（３５）および／または第６（３６）ウォールセクションが、第１（３１）および／または第４（３４）ウォールセクションの内側に位置されることを特徴とする、請求項１〜３のいずれか一項に記載のシステム。
【請求項５】
第２（３２）および／または第３（３３）ウォールセクションの厚さ（３８）が、第１オフセット（３９）に対応することを特徴とする、および／または、第５（３５）および／または第６（３６）ウォールセクションの厚さ（４０）が、第２オフセット（４１）に対応することを特徴とする、請求項１〜４のいずれか一項に記載のシステム。
【請求項６】
外形要素の少なくとも一部分が、帽子形状の断面を有することを特徴とする、請求項１〜５のいずれか一項に記載のシステム。
【請求項７】
外形要素が、一体成型体からなることを特徴とする、請求項１〜６のいずれか一項に記載のシステム。
【請求項８】
少なくとも１つのウォールパーティション、特に、少なくとも１つのドライウォールプラスターボードパーティションを支持するための、好ましくは請求項１〜７のいずれか一項に記載のシステムのためのおよび／または請求項１〜７のいずれか一項に記載のシステムの一部である、外形要素であって、ウェブ（１２）、第１固定面（２１）としての第１フランジ（１０）、少なくとも第２（２２）および／または第３（２３）固定面を含み、オフセット（３９）が、第１固定面（２１）と、第２（２２）および／または第３（２３）固定面との間に提供され、第２フランジ（１１）が、第４固定面（２４）を提供する、前記外形要素。
【請求項９】
第２固定面（２２）が、ウェブ（１２）上に提供される、および／または、第３固定面（２３）が、第１フランジ（１０）の遠位端に提供される、および／または、第５固定面（２５）が、ウェブ（１２）上に提供される、および／または、第６固定面（２６）が、第２フランジ（１１）の遠位端に提供されることを特徴とする、請求項８に記載の外形要素。
【請求項１０】
第２（２２）および／または第３（２３）および／または第５（２５）および／または第６（２６）固定面が、平坦、および／または、第１（１０）および／または第２（１１）フランジに平行、および／または、ウェブ（１２）に垂直であることを特徴とする、請求項８または９に記載の外形要素。
【請求項１１】
第２（２２）および／または第５（２５）固定面が、外形要素の一部、特にウェブを切り抜き、切り抜かれた部分を折り出すことで形成されることを特徴とする、および／または、第２（２２）および／または第３（２３）および／または第５（２５）および／または第６（２６）固定面が、外形要素の一部分、特にウェブ（１２）を圧延することにより形成される突出部によって画定されることを特徴とする、請求項８〜１０のいずれか一項に記載の外形要素。
【請求項１２】
外形要素が、一体成型体、および／または、金属、特にアルミニウムおよび／またはアルミニウム合金および／または鋼鉄の外形要素であることを特徴とする、請求項８〜１１のいずれか一項に記載の外形要素。
【請求項１３】
特に請求項１〜７に記載のウォールシステムのためのおよび／または、請求項８〜１２の外形要素を含む、セットであって、少なくとも第１（２１）および第２（２２）固定面を有する、外形要素であって、オフセットが、第１（２１）および第２（２２）固定面の間に提供される、該外形要素、および、オフセットに対応する厚さを有する、少なくとも１つのウォールセクション、特にプラスターボードを含む、前記セット。
【請求項１４】
オフセットが、５ｍｍ〜３０ｍｍ、好ましくは８ｍｍ〜１８ｍｍ、さらに好ましくは１２．５ｍｍ〜１５ｍｍであることを特徴とする、請求項１３に記載のセット。
【請求項１５】
特に請求項１〜７に記載の、ウォールシステム、および／または、特に請求項８〜１２に記載の、外形要素の、製造方法であって、
ａ）第１および第４固定面を提供する予備的フランジならびに予備的ウェブを含む、予備的外形要素を提供するステップ、
ｂ）予備的外形要素上に、特にウェブ（１２）上に、および／または、少なくとも１つのフランジの遠位端に、少なくとも第２（２２）および／または第３（２３）固定面を形成するステップを含む、前記方法。
【発明の詳細な説明】
【技術分野】
【０００１】
本発明は、二重レイヤーウォールシステム、二重レイヤーウォールシステムのための外形要素、二重レイヤーウォールシステムを製造するためのセット、および、ウォールシステムおよび／または外形要素の製造方法に関する。
【背景技術】
【０００２】
WO2008/087009号公報は、例えば、軽量パーティションウォールの組み立てのために使用される外形要素を説明している。１つのウォールセクションは、外形要素の第１フランジに固定され、他は、外形要素の第２フランジに固定される。“二重レイヤー”ウォールは、互いに重なり合って配置される（互いに接触する）、２つのレイヤーのウォールセクション（例えば、プラスターボード（plasterboard））を具備するウォールである。かかる二重レイヤーウォールは、対応するウォールシステムの安定性を高める。既知の外形要素は、（主に）縦軸方向における力を吸収および伝える（例えば、垂直方向の）支持構成部分（スタッド（studs））である。
【０００３】
一般的な外形要素は、ウェブによって接続される２つのフランジセクションを含む、ＣまたはＵ形状を有する。ウォールセクション、例えば、石膏プラスターボードは、通常フランジ領域に固着（ねじ込み、リベット接続、釘打ち、または、いくつかの他の手段によって固定）される。二重レイヤーウォールを提供するために、第１ウォールセクションを、外形要素のフランジの１つに固定し、第２ウォールセクションを、第１ウォールセクションを通じて外形要素の対応するフランジの中に固定することが知られている。この配置は、たいていの場合、外形要素の他のフランジ上においても繰り返される。かかる従来の二重レイヤーシステムは、ウォールシステムの安定性を改善し、ここにおいてウォールシステムの厚さは増加される。
【０００４】
本発明の目的は、高度の安定性および比較的小さな厚さを具備する、二重レイヤーウォールシステムを提供することにある。さらに、本発明の目的は、対応する外形要素、外形要素を含むセット、および、少なくとも１つのウォールセクション、ならびに、二重レイヤーウォールシステム、および／または、外形要素を製造するための製造方法を提供することにある。
【発明の概要】
【０００５】
本発明に係る二重レイヤーウォールシステムは、特に、少なくとも１つの第１固定面および少なくとも１つの第２固定面を有する、少なくとも１つの外形要素を含み、第１および第２固定面の間にオフセット（offset）が提供され、少なくとも１つの第１ウォールセクション、特に第１プラスターボードが、第１固定面に固定され、少なくとも１つの第２ウォールセクション、特に少なくとも１つの第２プラスターボードが、第２固定面に固定され、第１および第２ウォールセクションが、互いに重なり合って配置される。
【０００６】
用語“互いに重なり合って”は、好ましくは、各要素が直接的に接触するという意味として理解されるべきである。しかしながら、中間レイヤー（例えば、コーティングレイヤーまたは金属シートまたは同様のもの）が、各要素の間に配置されることも可能である。いずれの場合であっても、用語“互いに重なり合って”は、各要素の間の（大きな）空洞の提供を排除するべきである。第１ウォールセクションおよび第２ウォールセクションの距離は、好ましくは４ｍｍ以下、より好ましくは２ｍｍ以下、より好ましくは１ｍｍ以下であってもよい。オフセットは、好ましくは５ｍｍ〜３０ｍｍ、より好ましくは８ｍｍ〜１８ｍｍ、より好ましくは１２．５ｍｍ〜１５ｍｍである。
【０００７】
本発明の核となるアイデアは、２つの固定面を具備する外形要素であって、これにより二重レイヤーを形成するためにウォールセクションが互いに重なり合うように配置され、２つのウォールセクションが（それぞれ）外形要素に固定される。各ウォールセクションが、外形要素に（直接）固定されるため、安定性が改善される。同時に、二重レイヤーウォールシステムの厚さを減少させることができる。好ましくは、上記（および下記）固定面のいずれかは平坦である。したがって、ウォールセクションを外形要素に固着することは容易である。上記（または下記）固定面の２つは、特に、ステップ、および／または、１つのおよび／または他の（隣接する）固定面に対して４５°〜１３５°（例えば、９０°）の角度を有するさらなる面によって、（構造的に）分離されていてもよい。
【０００８】
好ましくは、外形要素は少なくとも第３固定面を含み、該第３固定面は、好ましくは第２固定面に平行に、特に同一平面を成すように配置される。第３ウォールセクション（特に、第３プラスターボード）が、第３固定面に固定されてもよい。第２および第３ウォールセクションは、平行に、好ましくは、第２ウォールセクション、第３ウォールセクションおよび第１固定面が連続した（平坦な）面を形成するように、特に同一平面に配置されてもよい。連続した二重レイヤーウォールを製造できるように、第３固定面は、第３ウォールセクションの固定を簡略化する。二重レイヤー構造が外形要素を通じて連続するように、外形要素の両面に接触して各ウォールセクション（第２および第３ウォールセクション）を固定することもできる。
【０００９】
外形要素は、少なくとも１つの第４のウォールセクションを固定するための少なくとも１つの第４固定面を含んでもよい。さらに、外形要素は、少なくとも１つの第５の固定要素を固定するための少なくとも１つの第５固定面を含んでもよい。さらに、外形要素は、少なくとも１つの第６のウォールセクションを固定するための少なくとも１つの第６固定面を含んでもよい。好ましくは、オフセットが、第４固定面と、第５および／または第６固定面との間に提供される。さらに、好ましくは第４のウォールセクションと第５および／または第６固定面とは互いに重なり合うように配置される。さらに、好ましくは、空洞が、一方で第２および／または第３固定面と、他方で第４および／または第５および／または第６固定面との間に形成される。かかる対策によって、二重レイヤーウォールシステムの安定性は、全体の厚さを（実質的に）増加させることなく、さらに増強される。
【００１０】
第２および／または第３および／または第５および／または第６固定面は、第１および／または第４固定面の内側上に位置されてもよい。好ましくは、第２および／または第３および／または第５および／または第６固定面は、第１および第４固定面によって形成される空洞内に位置される。したがって、二重レイヤーウォールシステムの厚さは比較的小さい。
【００１１】
第２および／または第３固定面の厚さは、好ましくは第１オフセットに対応する。代替的または追加的に、第５および／または第６固定面の厚さは、第２オフセットに対応してもよい。用語“対応”は、好ましくは、パラメータ（一方で厚さ、他方でオフセット）が等量であることを意味するべきである。しかしながら、厚さ−オフセットの差は、厚さの量の１０％以下であり得る。いずれの場合でも、コンパクトで硬い二重レイヤーウォールシステムを得ることができる。
【００１２】
外形要素の少なくとも一部は、（断面において）帽子形状（hat-shape）を有してもよい。“帽子形状”は、好ましくは、中央面、中央面に対して角度（４５°〜１３５°、例えば、９０°）を有する２つの中間面、および、中間面に隣接し中間面に対して角度（４５°〜１３５°、例えば、９０°）を有する２つのさらなる面を具備する構造を意味する。帽子形状部分は、一体成型体であることが好ましい。好ましくは、帽子形状部分は、（従来の）Ｃ外形に固定され得る覆いである。したがって、良好な安定性および小さな厚さを具備する二重レイヤーウォールシステムが得られるように、（従来の）Ｃ外形（または、Ｕ外形、または、Ｉ外形）に適応することができる。
【００１３】
概して、外形要素は、（従来の）外形要素（Ｃ、ＵまたはＩ外形要素）に接続または固定され得る覆いを含んでも、または、該覆いから成っていてもよい。
【００１４】
１つの実施態様において、外形要素は、一体成型体からなる。これは、好ましくは、外形要素が一片から作られている（例えば、１つの金属シートから作られている）ことを意味するべきである。代替的に、外形要素は、２つまたはそれ以上のパーツによって形成されてもよい。外形要素が一体成型体である場合、高度の安定性を具備する外形要素を簡単に作成することができる。外形要素が２つの（またはそれ以上の）パーツからなる場合、特に帽子形状外形要素を接続する、１つまたは２つ以上の帽子形状の覆い、および、中間Ｃ、ＵまたはＩ外形要素を有するのが好ましい。かかるシステムは、まさに可変である。さらに、すでにこのシステムからなるものは、簡単にアップグレードできる。
【００１５】
好ましくは、（少なくとも１つの）第１および／または第２および／または第４および／または第５および／または第６固定面は、互いに平行および／または平坦である。
【００１６】
本発明の独立した態様として、少なくとも１つのウォールパーティション、特に少なくとも１つのドライウォールプラスターボードパーティションを支持するための（好ましくは、上記システムのためのおよび／または上記システムの一部としての）外形要素は、ウェブ、第１フランジ、第１固定面、少なくとも第２および／または第３固定面、ここで第１固定面と第２および／または第３固定面との間にオフセットが提供され、および、第４固定面としての第２フランジを含む。かかる外形要素は、薄型で安定的な二重レイヤーウォールシステムを製造できるようにする。
【００１７】
好ましくは、第２固定面は、ウェブ上に提供される。第３固定面は、第１フランジの遠位端に提供されてもよい。第５固定面は、ウェブ上に提供されてもよい。第６固定面は、第２フランジの遠位端に提供されてもよい。かかる対策は、二重レイヤーウォールシステムの厚さを（実質的に）増強することなく、二重レイヤーウォールシステムの安定性を改善する。
【００１８】
第２および／または第３および／または第５および／または第６固定面は、平坦であってもよい。第２および／または第３および／または第５および／または第６固定面は、第１フランジに平行であっても、および／または、第２フランジに平行であっても、および／または、ウェブに垂直であってもよい。
【００１９】
第２および／または第５固定面は、外形要素の一部、特にウェブを切り抜き、切り抜かれた部分を折り畳むことによって形成されてもよい。概して、固定面は、（例えば、長方形の）突出部によって形成されてもよい。外形要素の一部が、切り抜いて折り曲げられる場合、それは外形要素（特に、ウェブ）からのヒンジであり、したがって、（第２の）ボードを支持するための固定ポイントを提供する。かかる構造は、比較的高い安定性を簡単に作成および提供する。好ましくは、切り抜き部分は、補修用の（例えば、信号および／または電力線などの設置のための）切り抜きとして使用される。
【００２０】
このような場合、切り抜き部分は、２つの（完全に）異なる機能を務めるため、外形要素の構造を単純化する。概して、本発明は、特に、（上記の様な）外形要素の切り抜きの使用を（独立した態様として）、固定面を提供するために、および、好ましくは、保守用開口として、および／または、好ましくは、（信号および／または電力）線などの設置のための開口、（として使用するために、含む。第２および／または第３および／または第５および／または第６固定面は、外形要素の一部、特にウェブを圧延することによって、特に形成される突出部によって画定されてもよい。外形要素の圧延された部分は、剛性が増強された各固定面が提供されるように、二重レイヤーから成ってもよい。
【００２１】
外形要素は、一体成型体であってもよい。さらに、外形要素は、金属、特にアルミニウムおよび／またはアルミニウム合金および／または鋼から作られてもよい。
【００２２】
本発明の独立した態様として、特に、上記の二重レイヤーウォールシステムのための、および／または、上記外形要素を含む、セットは、少なくとも第１および第２固定面を有する、外形要素を含み、オフセットが、第１および第２固定面の間に提供され、オフセットに対応する厚さを有する、少なくとも１つのウォールセクション、特にプラスターボードを含む。好ましくはオフセットは５ｍｍ〜３０ｍｍ、さらに好ましくは８ｍｍ〜１８ｍｍ、さらになお好ましくは１２．５ｍｍ〜１５ｍｍである。
【００２３】
本発明の独立した態様として、二重レイヤーウォールシステム、および／または、外形要素の製造方法は、
ａ）第１および第４固定面としての予備的フランジならびに予備的ウェブを含む、予備的外形要素を提供するステップ、
ｂ）予備的外形要素上に、特にウェブ（１２）上に、および／または、少なくとも１つのフランジの遠位端に、少なくとも第２および／または第３固定面を形成するステップを包含する。
【００２４】
外形要素は、Ｃ形状、Ｕ形状またはＩ形状を有してもよい。（第１および／または第２の）オフセットは、５ｍｍ〜３０ｍｍ、好ましくは８ｍｍ〜１８ｍｍ、さらに好ましくは１２．５ｍｍ〜１５ｍｍであってもよい。外形要素は、１５ｃｍ〜４００ｃｍの長さを有してもよい。外形要素は、（例えば、ウェブおよび／または第１および／または第２フランジの最大幅によって画定される）３０ｍｍ〜２００ｍｍ、好ましくは５０ｍｍ〜１００ｍｍの最大幅を有してもよい。少なくとも１つの（またはいくつかの、または全ての）固定面は、１５ｍｍ〜４０ｍｍ、特に２０ｍｍ〜３０ｍｍ、好ましくは２５ｍｍの最大幅を有してもよい。外形要素は、０．３ｍｍ〜２ｍｍの（平均）厚（材料厚）を有してもよい。原則的に、上記外形要素は、“一重レイヤーウォール”のために使用可能である（たとえば、二重レイヤーウォールが必要ない場合）。
【００２５】
外形要素の実施態様は、以下のように構造化されてもよく、異なる要素が、以下の順番で、好ましくは互いに直接的に接続される。
−第３固定面を画定する、（長方形）部分；
−中間部分を画定し、第３固定面を画定する（長方形）部分に垂直な、（長方形）部分；
−第３固定面を画定する部分に隣接する中間部分に垂直な、（第１固定面を画定する）第１フランジ；
−第１フランジ、および、第２固定面を画定する（長方形）部分を接続する、さらなる（長方形）中間部分；
−第１フランジに隣接する中間部分に垂直な第２固定面を画定する、部分；
−第２固定面を画定する部分に垂直な第２固定面を画定する部分の近位端に隣接する、中間（長方形）部分；
−第２固定面を画定する部分に隣接する中間部分に垂直な第５固定面を画定する、（長方形）部分；
−第５固定面を画定する部分の近位端に隣接し、第５固定面を画定する部分に垂直な、長方形中間部分；
−第５固定面を画定する部分の近位端に隣接する中間固定面に垂直な、（第４固定面を画定する）第２（長方形）フランジ；
−第２フランジに垂直な、さらなる（長方形）中間部分；および、
−第２フランジに隣接する中間部分に垂直な第６固定面を画定する、（長方形）部分。
【００２６】
以下に、図面を参照して、本発明の好ましい実施態様が説明される。
【図面の簡単な説明】
【００２７】
【図１】図１は、本発明の外形要素の第１実施形態を示す。
【図２】図２は、図１の外形要素の側面図を示す。
【図３】図３は、いくつかのウォールセクションを具備する図１および２の外形要素を示す。
【図４】図４は、さらなる実施態様の外形要素の２つのパーツの側面図を示す。
【図５】図５は、外形要素のさらなる実施態様の異なるパーツの側面図を示す。
【図６】図６は、さらなる実施態様に係る外形要素の正面図を示す。
【００２８】
【図７】図７は、図６の外形要素の斜位像を示す。
【図８】図８は、図６のＶＩＩＩ−ＶＩＩＩ線に沿った断面を示す。
【図９】図９は、図６の実施態様の側面図を示す。
【図１０】図１０は、図６のＸ−Ｘ線に沿った断面を示す。
【図１１】図１１は、本発明の外形要素のさらなる実施態様を示す。
【図１２】図１２は、図１１の実施態様の側面図を示す。
【図１３】図１３は、いくつかのウォールセクションを具備する、図１１および図１２の実施態様を示す。
【発明を実施するための形態】
【００２９】
図１および図２は、外形要素の第１実施形態を示す。外形要素は、第１フランジ１０、第２フランジ１１およびウェブ１２を含む。ウェブ１２は、（第１フランジ１０に近接して位置付けられる）第１突出部１３、および、（第２フランジ１１に近接して位置付けられる）第２突出部１４を含む。第１フランジ１０の遠位端１５には、中間部分１８を介してフランジ１０の遠位端１５に接続される突出部１７が提供される。中間部分１８は、フランジ１０および突出部１７に垂直である。突出部１７およびフランジ１０は、互いに平行である。第２フランジ１１の遠位端１６には、突出部１９が提供される。突出部１９は、中間部分２０によってフランジ１１に接続される。中間部分２０は、フランジ１１および突出部１９に垂直である。フランジ１１および突出部１９は、互いに平行である。
【００３０】
第１フランジ１０は、第１固定面２１を画定する。突出部１３は、第２固定面２２を画定する。突出部１７は、第３固定面２３を画定する。第２フランジ１１は、第４固定面２４を画定する。突出部１４は、第５固定面２５を画定する。突出部１４は、第５固定面２５を画定する。突出部１９は、第６固定面２６を画定する。
突出部１３および１４は、ウェブ１２に垂直である。
【００３１】
図３は、第１ウォールセクション３１、第２ウォールセクション３２、第３ウォールセクション３３、２つの第４ウォールセクション３４ａおよび３４ｂ、第５ウォールセクション３５、ならびに、第６ウォールセクション３６を共に具備する、図１および２の外形要素の実施態様を示す。
ウォールセクション３１〜３６は、例えば、ウォールパネル、好ましくはプラスターボードであってもよい。
【００３２】
第１ウォールセクション３１は、固定手段３７ａ（例えば、ねじまたはボルトまたは同様のもの；上記または下記のすべての“固定手段”は、ねじおよび／またはボルトおよび／または釘および／または他の手段であるか、または、これらを含んでもよい）を介して、第１固定面２１に固定される。第２ウォールセクション３２は、固定手段３７ｂを介して、第２固定面２２に固定される。第３ウォールセクション３３は、固定手段３７ｃを介して、第３固定面２３に固定される。２つの第４ウォールセクション３４ａおよび３４ｂは、固定手段３７ｄおよび３７ｅを介して、第４固定面２４に固定される。第５ウォールセクション３５は、固定手段３７ｆを介して、第５固定面２５に固定される。第６ウォールセクション３６は、固定手段３７ｇを介して、第６固定面２６に固定される。
【００３３】
１つの第１ウォールセクション３１の代わりに、（ウォールセクション３４ａおよび３４ｂのような）２つのウォールセクションが提供されてもよい。ウォールセクション３４ａおよび３４ｂの代わりに、単一のウォールセクションが提供されてもよい。
【００３４】
図３に見られるように、ウォールセクション３１、３２および３３は、実質的な安定性を有する二重レイヤーを形成する。また、第４ウォールセクション３４ａ、３４ｂと、ウォールセクション３５および３６とは、二重レイヤーシステムを形成する。ウォールセクション３２、３３、３５および３６は、第１ウォールセクション３１と、第４ウォールセクション３４ａ、３４ｂとによって画定される空洞内に位置する。したがって、図３に係るウォールシステム全体の厚さは、比較的小さい。ウォールセクション３２、３３の厚さ３８は、固定面２１および２２または２１および２３の間の距離３９（オフセット）に対応する（と同等である）。同様に、ウォールセクション３５、３６の厚さ４０は、固定面２４および２５または２４および２６の間の距離４１（オフセット）に対応する。異なるウォールセクション３２〜３６の厚さは、同等でもまたは異なってもよい。総じて、硬くて薄型の二重レイヤーウォールシステムが提供される。
【００３５】
図１〜３の外形要素の実施態様は、例えば、金属シートの一体成型体によって画定される。好ましくは金属シートが、図１〜３に示されるような形状を得るために、折り曲げおよび／または折り畳みおよび／または切られる。
【００３６】
図４は、外形要素のさらなる実施態様の２つのパーツを示す。その取り付け状態において、図４に係る外形要素の形状は、図１〜３に係る外形要素の形状に対応する。
【００３７】
図４に係る外形要素は、第１パーツ４２および第２パーツ４３からなる。第２パーツ４３は、突出部１７、中間部分１８、第１フランジ１０、および、固定面２２（図２と比較）を画定する突出部１３を含む。第１パーツ４２は、（従来の）Ｃ外形要素である。図４の第２パーツ４３は、帽子形状の断面を有する。
【００３８】
図５は、３つのパーツ、第１パーツ４４、第２パーツ４５および第３パーツ４６からなる外形要素を示す。第２パーツ４５は、図４に対して説明したように、第２パーツ４３と同一である。第３パーツ４６は、第２パーツ４５と（構造的に）同一である。その取り付けられた状態において、図５に係る外形要素は、図２に示されるような形状を有する。図５の外形要素は、２つの帽子形状覆い４５および４６、ならびに、第１パーツとしての（従来の）Ｃ外形４４からなる。
【００３９】
図４および５において、異なるパーツは、ねじ、ボルトまたは同様のものを介して、もしくは、接着（特に、粘着テープを介して）または溶接を介して、接続可能である。
【００４０】
粘着テープ４８は、（図４の）フランジ１０または（図５の）フランジ１０、１１と、第１パーツの各フランジ１０ａ、１１ａとの間に位置付けられる。図４の第１パーツ４２または図５の第１パーツ４４と、覆い４５、４６とは、プラスターボード（例えば、図３と比較）を固着するために使用される（ドライウォール）ねじ（または、他の手段）を介して、互いにさらに固着されてもよい。
【００４１】
図１〜５に係る実施態様の突出部１３および１４は、外形要素（金属シート）の二重レイヤーによって、特に外形要素（図４の実施態様−突出部１３については−および図５）の折り畳みか（図１〜３に係る実施態様および−突出部１４については−図４）または異なるパーツの分離されたレイヤーを固定することによって、提供される。
【００４２】
図６〜１０は、ウェブ１２において切り抜き４７を形成することによって提供される第１突出部１３を具備する外形要素のさらなる実施態様を示す。突出部１３は、切り抜き４７によって画定される部分の半径方向外向きの回動によって形成される。
【００４３】
突出部１３は、第２固定面２２を画定する。第１フランジ１０は、第１固定面２１を画定する。突出部１７は、（図１〜３の実施態様と同一の）第３固定面２３を画定する。第２フランジ１１は、第４固定面２４を画定する。図６〜１０の実施態様において、第５および第６固定面は省略される。しかしながら、さらなる切り抜きを提供することによって（または、図１〜５に示されるような構造を介して）、第４及び第６固定面を包含させることも可能である。
【００４４】
図１１および１２は、外形要素のさらなる実施態様を示す。固定面２２および２３を画定する突出部１３および１７は、図１〜３の実施態様と同一である。第１フランジ１０は、（図１〜３の実施態様のように）第１固定面２１を形成する。第２フランジ１１は、第４固定面２４を画定する。再び、第５および第６固定面は省略される。しかしながら、かかる第５および第６固定面（例えば、図１〜５の実施態様のような）を包含することも可能である。
図６〜１２の実施態様は、好ましくは（一片の）一体成型体から作られる。
【００４５】
図１３は、第１固定面２１に固定される第１ウォールセクション３１、第２固定面２２に固定される第２ウォールセクション３２、第３固定面２３に固定される第３ウォールセクション３３、および、第４固定面２４に固定される第４ウォールセクション３４を共に具備する、図１１および図１２に係る外形要素の実施態様を示す。ウォールセクション３１〜３４は、固定手段３７ａ、３７ｂ、３７ｃおよび３７ｄを介して、対応する固定面２１〜２４に固定される。固定要素３７ａ〜３７ｄは、ねじ、ボルトまたは同様のものであってもよい。図１３の構造において、図１１および図１２に係る実施態様の外形要素は、図６〜１０の実施態様の外形要素によって置き換えられてもよい。
【符号の説明】
【００４６】
１０          第１フランジ
１１          第２フランジ
１２          ウェブ
１３          第１突出部
１４          第２突出部
１５          遠位端
１６          遠位端
１７          突出部
１８          中間部分
１９          突出部
【００４７】
２０          中間部分
２１          第１固定面
２２          第２固定面
２３          第３固定面
２４          第４固定面
２５          第５固定面
２６          第６固定面
３１          第１ウォールセクション
３２          第２ウォールセクション
３３          第３ウォールセクション
【００４８】
３４          第４ウォールセクション
３５          第５ウォールセクション
３６          第６ウォールセクション
３７ａ−ｇ    固定手段
３８          厚さ
３９          距離（オフセット）
４０          厚さ
４１          距離（オフセット）
４２          第１パーツ
４３          第２パーツ
４４          第１パーツ
４５          第２パーツ
４６          第３パーツ
４７          切り抜き
４８          テープ
【図１】
2020097886.tif 000003
【図２】
2020097886.tif 000004
【図３】
2020097886.tif 000005
【図４】
2020097886.tif 000006
【図５】
2020097886.tif 000007
【図６】
2020097886.tif 000008
【図７】
2020097886.tif 000009
【図８】
2020097886.tif 000010
【図９】
2020097886.tif 000011
【図１０】
2020097886.tif 000012
【図１１】
2020097886.tif 000013
【図１２】
2020097886.tif 000014
【図１３】
2020097886.tif 000015
【手続補正書】
【提出日】令和2年2月13日(2020.2.13)
【手続補正１】
【補正対象書類名】特許請求の範囲
【補正対象項目名】全文
【補正方法】変更
【補正の内容】
【特許請求の範囲】
【請求項１】
本明細書に記載の発明。
【外国語明細書】
2020097886000001.pdf